(57)【要約】【課題】低い負荷で光源の異常を検出する異常検出装置、投影装置、異常検出方法及びプログラムを提供すること。【解決手段】光源装置６０は、光源部と検出部とを備える。光源部は、フレームＦ１内で時分割されたセグメント期間Ｐ１１〜Ｐ１３毎に光を出射する。検出部は、フレームＦ１と同期したトリガー信号（タイミング信号ａ１）の受信のタイミングＴ１３から、予め定めた遅延時間ＴＤ経過後に、フレームＦ１内に出射される最大照度光の照度値Ｖ２を取得し、取得した最大照度光の照度値Ｖ２が予め定めた閾値Ｖｒｅｆ未満である場合に光源部が異常と判定する。【選択図】  図７
2019120812.tif 000002
【特許請求の範囲】
【請求項１】
フレーム内で時分割されたセグメント期間毎に光を出射する光源部と、
前記フレームと同期したトリガー信号の受信のタイミングから、最も照度値が高いセグメント期間となる所定の遅延時間経過後に、前記フレーム内に前記光源部より出射される光の照度値を取得する照度値取得手段と、
前記照度値取得手段により取得された前記照度値が所定の閾値未満である場合に前記光源部が異常状態であると検出する検出手段と、
を備えることを特徴とする異常検出装置。
【請求項２】
前記トリガー信号は、前記フレーム内で複数回送信されるタイミング信号であり、
前記照度値取得手段は、最も照度値が高い光を出射する前記セグメント期間に切り換える前記タイミング信号の受信のタイミングから、前記遅延時間経過後に前記照度値を取得する、
ことを特徴とする請求項１に記載の異常検出装置。
【請求項３】
前記照度値取得手段は、予め、前記フレーム内における前記セグメント期間に出射された全ての光の前記照度値を取得して比較し、最も照度値が高い光を出射させるための前記トリガー信号を特定する取得用カウンタを取得することを特徴とする請求項１又は請求項２に記載の異常検出装置。
【請求項４】
前記照度値取得手段は、前記フレーム中に前記トリガー信号を受信する毎に前記取得用カウンタをカウントし、前記取得用カウンタの値が満了すると最も照度値が高い光が出射される前記セグメント期間であると判定して、前記照度値を取得することを特徴とする請求項３に記載の異常検出装置。
【請求項５】
前記光源部は、前記フレームの周期と同期して回転駆動する蛍光体ホイールを含み、
前記トリガー信号は、前記蛍光体ホイール又は前記蛍光体ホイールの回転軸に形成されたインデックスマークをセンサが検出して出力するインデックス信号である、
ことを特徴とする請求項１に記載の異常検出装置。
【請求項６】
前記インデックスマークは、前記回転軸の側面に形成された光吸収体であり、
前記検出手段は、前記光吸収体を光センサにより検出する、
ことを特徴とする請求項５に記載の異常検出装置。
【請求項７】
前記検出手段により、前記光源部が異常状態であると判定された場合、前記光源部の駆動を停止させる光源停止手段を更に備えることを特徴とする請求項１乃至請求項６の何れかに記載の異常検出装置。
【請求項８】
請求項１乃至請求項７の何れか記載の異常検出装置と、
前記光源部からの光源光が照射され、画像光を形成する表示素子と、
前記表示素子から出射された前記画像光をスクリーンに投影する投影側光学系と、
前記表示素子と前記異常検出装置を制御する制御部と、
を有することを特徴とする投影装置。
【請求項９】
異常検出装置の異常検出方法であって、
フレーム内で時分割されたセグメント期間毎に光を出射する発光手段と、
前記フレームと同期したトリガー信号の受信のタイミングから、最も照度値が高いセグメント期間となる所定の遅延時間経過後に、前記フレーム内に前記発光手段より出射される光の照度値を取得する照度値取得手段と、
前記照度値取得手段により取得された前記照度値が所定の閾値未満である場合に前記発光手段が異常状態であると検出する検出手段と、
を備えることを特徴とする異常検出方法。
【請求項１０】
異常検出装置が実行するプログラムであって、
フレーム内で時分割されたセグメント期間毎に光を出射する発光手段、
前記フレームと同期したトリガー信号の受信のタイミングから、最も照度値が高いセグメント期間となる所定の遅延時間経過後に、前記フレーム内に前記発光手段より出射される光の照度値を取得する照度値取得手段、及び、
前記照度値取得手段により取得された前記照度値が所定の閾値未満である場合に前記発光手段が異常状態であると検出する検出手段、
としての機能を実行することを特徴とするプログラム。
【発明の詳細な説明】
【技術分野】
【０００１】
本発明は、異常検出装置及びこの光源装置を備える投影装置並びに異常判定方法、及びプログラムに関する。
【背景技術】
【０００２】
今日、パーソナルコンピュータの画面やビデオ画像、さらにメモリカード等に記憶されている画像データによる画像等をスクリーンに投影する画像投影装置として、データプロジェクタが多用されている。このプロジェクタは、光源から出射された光をＤＭＤ（デジタル・マイクロミラー・デバイス）と呼ばれるマイクロミラー表示素子、又は、液晶板に集光させ、スクリーン上にカラー画像を表示させる。
【０００３】
このようなプロジェクタにおいて、内部に異常が発生した場合に光源の駆動を停止するため技術が提案されている。例えば、特許文献１の投影装置は、内部の光源側光学系上に設置した照度センサの出力値を、赤色波長帯域光の発光タイミング信号、緑色波長帯域光の発光タイミング信号、及び青色波長帯域光の発光タイミング信号と同期して取得し、色ごとに設定される異なる閾値の範囲内に照度センサの出力値が収まっていない場合に、投影装置の内部に異常が発生したと判断して光源装置の駆動を停止している。
【先行技術文献】
【特許文献】
【０００４】
【特許文献１】特開２０１３−１９７８０７号公報
【発明の概要】
【発明が解決しようとする課題】
【０００５】
しかしながら、特許文献１のようなプロジェクタでは、赤色波長帯域光、緑色波長帯域光及び青色波長帯域光のそれぞれの検出をしているため、制御部等にはタイミング信号の受信とタイマーの満了による照度値の取得により、合計６回の割り込み処理が発生する。また、上記の３種類の光に黄色波長帯域光を加えた合計４つのセグメント期間に時分割して光を出射する場合、フレーム毎に８回の割り込み処理が発生するなど、使用されるセグメントの数に応じて割り込み処理が増加する。従って、システム全体への負荷が大きくなる場合がある。
【０００６】
本発明は、以上の点に鑑み、低い負荷で光源の異常を検出することを目的とする。
【課題を解決するための手段】
【０００７】
本発明の異常検出装置は、フレーム内で時分割されたセグメント期間毎に光を出射する光源部と、前記フレームと同期したトリガー信号の受信のタイミングから、最も照度値が高いセグメント期間となる所定の遅延時間経過後に、前記フレーム内に前記光源部より出射される光の照度値を取得する照度値取得手段と、前記照度値取得手段により取得された前記照度値が所定の閾値未満である場合に前記光源部が異常状態であると検出する検出手段と、を備えることを特徴とする。
【０００８】
本発明の投影装置は、上述の光源装置と、前記光源装置からの光源光が照射され、画像光を形成する表示素子と、前記表示素子から出射された前記画像光をスクリーンに投影する投影側光学系と、前記表示素子と前記光源装置を制御する制御部と、を有することを特徴とする。
【０００９】
本発明の異常検出方法は、異常検出装置の異常検出方法であって、フレーム内で時分割されたセグメント期間毎に光を出射する発光手段と、前記フレームと同期したトリガー信号の受信のタイミングから、最も照度値が高いセグメント期間となる所定の遅延時間経過後に、前記フレーム内に前記発光手段より出射される光の照度値を取得する照度値取得手段と、前記照度値取得手段により取得された前記照度値が所定の閾値未満である場合に前記発光手段が異常状態であると検出する検出手段と、を備えることを特徴とする。
【００１０】
本発明のプログラムは、異常検出装置が実行するプログラムであって、フレーム内で時分割されたセグメント期間毎に光を出射する発光手段、前記フレームと同期したトリガー信号の受信のタイミングから、最も照度値が高いセグメント期間となる所定の遅延時間経過後に、前記フレーム内に前記発光手段より出射される光の照度値を取得する照度値取得手段、及び、前記照度値取得手段により取得された前記照度値が所定の閾値未満である場合に前記発光手段が異常状態であると検出する検出手段、としての機能を実行することを特徴とする。
【発明の効果】
【００１１】
本発明によれば、低い負荷で光源の異常を検出することができる。
【図面の簡単な説明】
【００１２】
【図１】本発明の実施形態１に係る投影装置を示す外観斜視図である。
【図２】本発明の実施形態１に係る投影装置の機能ブロックを示す図である。
【図３】本発明の実施形態１に係る投影装置の内部構造を示す平面模式図である。
【図４】本発明の実施形態１に係る判定部が行う異常判定のメインフローを示す図である。
【図５】本発明の実施形態１に係る判定部が行う取得セグメント設定処理のフローを示す図である。
【図６】本発明の実施形態１に係る判定部が行うタイミング割込処理のフローを示す図である。
【図７】本発明の実施形態１に係る投影装置のタイミング信号と照度センサの出力のタイムチャートを示す図である。
【図８】本発明の実施形態２に係る判定部が行う異常判定のメインフローを示す図である。
【図９】本発明の実施形態２に係る投影装置のインデックス信号と照度センサの出力のタイムチャートを示す図である。
【発明を実施するための形態】
【００１３】
（実施形態１）
以下、本発明を実施するための形態について述べる。図１は、本実施形態に係る投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１４】
投影装置１０は、図１に示すように、略直方体形状であって、筐体の前方の側板である正面パネル１２の側方に投影口を覆うレンズカバー１９を有すると共に、この正面パネル１２には複数の吸気孔１８や排気孔１７を設けている。さらに、図示しないがリモートコントローラからの制御信号を受信するＩｒ受信部を備えている。
【００１５】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源ユニットや表示素子又は制御回路等が過熱したときに報知する過熱インジケータ等のキーやインジケータが配置されている。
【００１６】
さらに、筐体の背面パネルには、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネルには、複数の吸気孔が形成されている。なお、筐体の側板である図示しない右側パネル、及び、図１に示した側板である左側パネル１５には、各々複数の排気孔１７が形成されている。また、左側パネル１５の背面パネル近傍の隅部には、吸気孔１８が形成されている。
【００１７】
次に、投影装置１０の投影装置制御部について、図２の機能ブロック図を用いて述べる。投影装置制御部は、制御部３８、入出力インターフェース２２、画像変換部２３、表示エンコーダ２４、表示駆動部２６等から構成される。入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００１８】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００１９】
表示駆動部２６は、表示素子制御部として機能するものである。表示駆動部２６は、表示エンコーダ２４から出力された画像信号に対応したフレームレートで適宜空間的光変調素子（ＳＯＭ）である表示素子５１を駆動する。そして、投影装置１０は、光源装置６０から出射された光線束を、導光光学系を介して表示素子５１に照射する。また、投影装置１０は照射された光線束を表示素子５１で反射させることにより光像を形成し、後述する投影側光学系を介して図示しないスクリーンに画像を投影表示する。なお、この投影側光学系の可動レンズ群２３５は、レンズモータ４５によりズーム調整やフォーカス調整のための駆動が行われる。
【００２０】
画像圧縮／伸長部３１は、画像信号の輝度信号及び色差信号をＡＤＣＴ及びハフマン符号化等の処理によりデータ圧縮して着脱自在な記録媒体とされる記憶部３２に順次書き込む記録処理を行う。さらに、画像圧縮／伸長部３１は、再生モード時に記憶部３２に記録された画像データを読み出し、一連の動画を構成する個々の画像データを１フレーム単位で伸長する。画像圧縮／伸長部３１は、その画像データを、画像変換部２３を介して表示エンコーダ２４に出力し、記憶部３２に記憶された画像データに基づいて動画等の表示を可能とする処理を行う。また、記憶部３２には、制御部３８や検出部２７が実行する光源装置６０の異常判定用のプログラムを記憶することが出来る。そのため、光源装置６０は、異常検出装置として機能する。
【００２１】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００２２】
筐体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６でコード信号に復調された後、制御部３８に出力される。
【００２３】
制御部３８は、システムバス（ＳＢ）を介して音声処理部４７と接続されている。この音声処理部４７は、ＰＣＭ音源等の音源回路を備えており、投影モード及び再生モード時には音声データをアナログ化し、スピーカ４８を駆動して拡声報音させる。
【００２４】
また、制御部３８は、光源制御手段としての光源制御部４１を制御している。光源制御部４１は、画像生成時に要求される所定波長帯域の光が光源装置６０から出射されるように、光源装置６０の励起光照射装置７０（図３参照）の動作を個別に制御する。また、光源制御部４１は、制御部３８の指示により、投影モードに応じて、蛍光体ホイール１０１等の同期のタイミングを制御する。
【００２５】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源のＯＦＦ後も冷却ファンの回転を持続させる、あるいは、温度センサによる温度検出の結果によっては投影装置１０本体の電源をＯＦＦにする等の制御を行う。
【００２６】
検出手段である検出部２７は、光源装置６０が出射する赤色波長帯域光Ｌ１、緑色波長帯域光Ｌ２及び青色波長帯域光Ｌ３を検出し、光源装置６０に異常が発生したか否かの判定を行う。
【００２７】
図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えている。また、投影装置１０は、投影装置１０の筐体の略中央部分に光源装置６０を備えている。さらに、投影装置１０には、光源装置６０と左側パネル１５との間に、光源側光学系１７０や投影側光学系２２０を備えている。
【００２８】
光源装置６０は、発光手段として光源部である励起光照射装置７０、緑色光源装置８０及び赤色光源装置１２０を備える。緑色光源装置８０は、励起光照射装置７０及び蛍光ホイール装置１００により形成される。励起光照射装置７０は、青色波長帯域光を出射する青色光源装置である。蛍光ホイール装置１００は緑色波長帯域光を出射する。赤色光源装置１２０は赤色波長帯域光を出射する。光源装置６０には、各色波長帯域光を導光して出射する導光光学系１４０が配置される。導光光学系１４０は、励起光照射装置７０、蛍光ホイール装置１００及び赤色光源装置１２０から出射される各色波長帯域光を光源側光学系１７０へ導光する。
【００２９】
励起光照射装置７０は、投影装置１０の筐体の左右方向における略中央部分であって背面パネル１３近傍に配置される。そして、励起光照射装置７０は、背面パネル１３と光軸が平行になるよう配置された複数の半導体発光素子である青色レーザダイオード７１から成る光源群（励起光源）、各青色レーザダイオード７１からの出射光の光軸を正面パネル１２方向に９０度変換する反射ミラー群７５、及び、青色レーザダイオード７１と右側パネル１４との間に配置されたヒートシンク８１等を備える。
【００３０】
光源群は、複数の青色レーザダイオード７１がマトリクス状に配置されて形成される。本実施形態の例では、図３の上下方向を行、紙面に垂直な方向を列として、左側パネル１５側から見た側面視２行３列のマトリクス状に合計６個の青色レーザダイオード７１が配置される。
【００３１】
各青色レーザダイオード７１の光軸上には、各青色レーザダイオード７１から出射される青色波長帯域光の指向性を高めるように平行光に変換する複数のコリメータレンズ７３が配置される。反射ミラー群７５は、複数の反射ミラーが階段状に配置されてミラー基盤と一体化して形成される。反射ミラー群７５は、青色レーザダイオード７１から出射される光線束を一方向に縮小して第一ダイクロイックミラー１４１へ向けて出射させる。
【００３２】
ヒートシンク８１と背面パネル１３との間には冷却ファン２６１が配置されており、この冷却ファン２６１とヒートシンク８１とによって青色レーザダイオード７１が冷却される。さらに、反射ミラー群７５と背面パネル１３との間にも冷却ファン２６１が配置されており、この冷却ファン２６１によって反射ミラー群７５等が冷却される。
【００３３】
蛍光ホイール装置１００は、励起光照射装置７０から出射される励起光の光路上であって、正面パネル１２の近傍に配置される。蛍光ホイール装置１００は、蛍光体ホイール１０１、モータ１１０、集光レンズ群１１１、集光レンズ１１５を備える。
【００３４】
蛍光体ホイール１０１は、正面パネル１２と略平行となるように、つまり、励起光照射装置７０からの出射光の光軸と直交するように配置される。モータ１１０は、蛍光体ホイール１０１を回転駆動させる。集光レンズ群１１１は、励起光照射装置７０から出射される励起光を蛍光体ホイール１０１に集光させるとともに蛍光体ホイール１０１から背面パネル１３方向に出射される蛍光光を集光する。集光レンズ１１５は、蛍光体ホイール１０１から正面パネル１２方向に出射される蛍光光を集光する。なお、モータ１１０の正面パネル１２側には冷却ファン２６１が配置されており、この冷却ファン２６１によって蛍光ホイール装置１００等が冷却される。
【００３５】
蛍光体ホイール１０１は略円盤状に形成される。蛍光体ホイール１０１の中心軸はモータ１１０の軸部に固定される。蛍光体ホイール１０１の基材は銅やアルミニウム等の金属により形成することができる。励起光照射装置７０側の基材の表面は銀蒸着等によってミラー加工された反射面となっている。蛍光体ホイール１０１の外周縁近傍には、励起光の入射側に、緑色波長帯域光を出射する蛍光発光領域と青色波長帯域光を透過する透過領域とが周方向に並設される。
【００３６】
蛍光発光領域には緑色蛍光体である蛍光体層が形成される。蛍光体層は、ミラー加工された蛍光体ホイール１０１の反射面上に形成される。透過領域は、半円弧状に形成される。透過領域は、例えば、蛍光体ホイール１０１の基材の外周縁部に形成された切欠き部に、透光性を有する透明基材が嵌入されて形成される。
【００３７】
蛍光体層は、励起光照射装置７０から出射された青色波長帯域光が照射されると、緑色波長帯域光の蛍光光を出射する。透過領域は、励起光照射装置７０から出射された青色波長帯域光が照射されると、その光を拡散させて蛍光体ホイール１０１の表側から裏側へ向かって透過させる。
【００３８】
赤色光源装置１２０には、青色レーザダイオード７１と光軸が平行となるように配置された赤色光源１２１と、赤色光源１２１からの出射光を集光する集光レンズ群１２５と、が設けられる。赤色光源１２１は、赤色波長帯域光を出射する半導体発光素子である発光ダイオードである。また、赤色光源装置１２０は、赤色光源装置１２０が出射する赤色波長帯域光の光軸が、蛍光体ホイール１０１から出射される緑色波長帯域光の光軸と交差するように配置される。また、赤色光源装置１２０は、赤色光源１２１の右側パネル１４側にヒートシンク１３０を備える。このヒートシンク１３０と正面パネル１２との間には冷却ファン２６１が配置されている。赤色光源１２１は、この冷却ファン２６１及びヒートシンク１３０によって冷却される。
【００３９】
導光光学系１４０は、ダイクロイックミラー（第一ダイクロイックミラー１４１，第二ダイクロイックミラー１４８）、各色波長帯域の光線束の光軸を変換して同一の光軸とさせる反射ミラー（第一反射ミラー１４３，第二反射ミラー１４５）、各色波長帯域の光線束を集光させる集光レンズ１４６，１４７，１４９等からなる。以下、各部材について説明する。
【００４０】
第一ダイクロイックミラー１４１は、反射ミラー群７５と集光レンズ群１１１との間の位置に配置される。赤色光源１２１が出射する赤色波長帯域光は第一ダイクロイックミラー１４１を透過し、蛍光体ホイール１０１から出射される緑色波長帯域光は第一ダイクロイックミラー１４１を反射するため、赤色波長帯域光と緑色波長帯域光は集光レンズ１４９に向かって同一光路となる。
【００４１】
蛍光体ホイール１０１を透過して出射された青色波長帯域光の光軸上、つまり、集光レンズ１１５と正面パネル１２との間には、第一反射ミラー１４３が配置される。
【００４２】
第一反射ミラー１４３は、青色波長帯域光を反射して、集光レンズ１４６へ導光する。集光レンズ１４６は、第一反射ミラー１４３の左側パネル１５側に配置される。第二反射ミラー１４５は、集光レンズ１４６の左側パネル１５側に配置される。第二反射ミラー１４５は、集光レンズ１４６から入射される青色波長帯域光の光軸を背面パネル１３側に９０度変換する。
【００４３】
集光レンズ１４７は、第二反射ミラー１４５の背面パネル１３側に配置される。また、第二ダイクロイックミラー１４８は、集光レンズ１４９の左側パネル１５側であって、集光レンズ１４７の背面パネル１３側に配置される。第二ダイクロイックミラー１４８は、緑色波長帯域光及び赤色波長帯域光を反射し、青色波長帯域光を透過させる。
【００４４】
集光レンズ１４７により集光された青色波長帯域光は、第二ダイクロイックミラー１４８を透過して、光源側光学系１７０の集光レンズ１７３に集光される。
【００４５】
また、集光レンズ１４９は、第一ダイクロイックミラー１４１の左側パネル１５側に配置される。第一ダイクロイックミラー１４１において反射された緑色波長帯域光及び透過した赤色波長帯域光は、集光レンズ１４９に導光される。集光レンズ１４９に入射して集光された緑色波長帯域光及び赤色波長帯域光は、第二ダイクロイックミラー１４８により反射され、光源側光学系１７０の集光レンズ１７３に集光される。こうして、赤色波長帯域光、緑色波長帯域光及び青色波長帯域光が光源側光学系１７０に導光される。
【００４６】
光源側光学系１７０は、集光レンズ１７３、ライトトンネル１７５、集光レンズ１７８、光軸変換ミラー１８１、集光レンズ１８３、照射ミラー１８５、コンデンサレンズ１９５等により構成されている。なお、コンデンサレンズ１９５は、コンデンサレンズ１９５の背面パネル１３側に配置される表示素子５１から出射された画像光を投影側光学系２２０に向けて出射するので、投影側光学系２２０の一部でもある。
【００４７】
集光レンズ１７３は、ライトトンネル１７５の入射口の近傍に配置され、光源光を集光する。集光レンズ１７３により集光された各色波長帯域光は、ライトトンネル１７５に向かって出射される。
【００４８】
光軸変換ミラー１８１は、ライトトンネル１７５の背面パネル１３側の光軸上である、集光レンズ１７８の後方に配置される。ライトトンネル１７５の出射口から出射した光線束は、集光レンズ１７８で集光された後、光軸変換ミラー１８１により、左側パネル１５側に光軸を変換される。また、光軸変換ミラー１８１の裏面には、照度値取得手段である照度センサ９０が配置される。照度センサ９０は、光軸変換ミラー１８１に導光されて反射される光の漏れ光又は間接光が照度センサ９０に入射するような位置に設置される。つまり、照度センサ９０は、赤色波長帯域光、緑色波長帯域光及び青色波長帯域光を受光可能な位置に配置される。
【００４９】
光軸変換ミラー１８１で反射した光線束は、集光レンズ１８３により集光された後、照射ミラー１８５により、コンデンサレンズ１９５を介して表示素子５１に所定の角度で照射される。なお、本実施形態では、表示素子５１としてＤＭＤを使用している。表示素子５１は、背面パネル１３側に設けられたヒートシンク１９０により冷却される。
【００５０】
光源側光学系１７０により表示素子５１の画像形成面に照射された光源光である光線束は、表示素子５１の画像形成面で反射され、投影光として投影側光学系２２０を介してスクリーンに投影される。ここで、投影側光学系２２０は、コンデンサレンズ１９５、可動レンズ群２３５、固定レンズ群２２５等により構成される。可動レンズ群２３５は、レンズモータにより移動可能に形成される。そして、可動レンズ群２３５及び固定レンズ群２２５は、固定鏡筒に内蔵される。よって、可動レンズ群２３５を備える投影側光学系２２０は、可変焦点型レンズであり、ズーム調節やフォーカス調節が可能に形成される。
【００５１】
このように投影装置１０を構成することで、蛍光体ホイール１０１を回転させるとともに励起光照射装置７０及び赤色光源装置１２０から適宜のタイミングで光を出射すると、赤色、緑色及び青色の各波長帯域光が導光光学系１４０及び光源側光学系１７０を介して表示素子５１に入射される。そのため、投影装置１０の表示素子５１であるＤＭＤがデータに応じて各色の光を時分割表示することにより、スクリーンにカラー画像を投影することができる。
【００５２】
次に、光源装置６０の異常検出方法について説明する。図４は、検出部２７の判定処理のメインフローを示す図である。図５は、検出部２７の取得セグメント設定処理（Ｓ１０２）のフローを示す図である。図６は、検出部２７のタイミング割り込み処理（Ｓ１０４）のフローを示す図である。以下、図７に示す、投影装置１０のトリガー信号であるタイミング信号と、照度センサ９０の出力のタイムチャートを例に説明する。
【００５３】
ステップＳ１０１で、検出部２７は、制御部３８より、記憶部３２に予め記憶されているセグメント情報を取得する。取得するセグメント情報には、フレーム内で時分割されるセグメント数Ｎｓが含まれる。
【００５４】
本実施形態の光源装置６０は、図７に示すように、１つのフレームＦ１を、赤色波長帯域光Ｌ１を出射するセグメント期間Ｐ１１と、緑色波長帯域光Ｌ２を出射するセグメント期間Ｐ１２と、青色波長帯域光Ｌ３を出射するセグメント期間Ｐ１３に時分割して出射している。また、光源装置６０は、フレームＦ１以降のフレームＦ２，Ｆ３も同様に、赤色波長帯域光Ｌ１、緑色波長帯域光Ｌ２及び青色波長帯域光Ｌ３を順に出射する。赤色波長帯域光Ｌ１、緑色波長帯域光Ｌ２及び青色波長帯域光Ｌ３は、制御部３８から送信されるセグメント期間を切り換えるためのパルス状のタイミング信号ａ１を光源制御部４１が受信すると、光源制御部４１が光源部（赤色光源装置１２０，励起光照射装置７０又は緑色光源装置８０）に発光指示することで各々出射される。なお、本実施形態におけるタイミング信号ａ１のみではいずれの波長帯域の光を出射させる指示であるかの区別はしていないが、光源装置６０が出射する光のセグメント数Ｎｓは予め定められている。
【００５５】
また、検出部２７は、ステップＳ１０１で、各フレームＦ１，Ｆ２・・・Ｆｎ内のセグメント期間の数は「３」であるため、セグメント数Ｎｓとして「３」を取得する。
【００５６】
ステップＳ１０２で、検出部２７は、取得セグメント設定処理を行う。図５のステップＳ２０１で、検出部２７は、光源装置６０の光源部（赤色光源装置１２０，励起光照射装置７０又は緑色光源装置８０）が点灯していることを光源制御部４１から受信する情報等により確認する。ステップＳ２０２で、検出部２７は、タイミング信号ａ１の割り込み処理を有効にする。
【００５７】
図７の例では、検出部２７は、時間＝「０」の初期状態で光源装置６０の光源部（励起光照射装置７０）から青色波長帯域光Ｌ３が出射されているため、ステップＳ２０２でタイミング信号ａ１の割り込み処理が有効にされる。
【００５８】
ステップＳ２０３で、検出部２７は、タイミング信号ａ１を受信したことを契機に割り込み処理が発生したか判定する。タイミング信号ａ１は、制御部３８により光源制御部４１と検出部２７に対し同時に送信される。検出部２７は、タイミング信号ａ１を制御部３８から受信すると割り込み処理を発生させ（Ｓ２０３，Ｙ）、ステップＳ２０４〜Ｓ２０６の割り込み処理を行う。一方、検出部２７は、タイミング信号ａ１を制御部３８から受信しない場合に割り込み処理を発生させず（Ｓ２０３，Ｎ）、ステップＳ２０３の判定処理を繰り返す。
【００５９】
図７の例では、検出部２７は、タイミングＴ１１において、タイミング信号ａ１を受信している。そのため、検出部２７は割り込み処理が発生したと判定して、ステップＳ２０４の処理に進む。
【００６０】
ステップＳ２０４で、検出部２７は、照度センサ９０によりタイミング信号ａ１の受信タイミングから予め定められた遅延時間ＴＤ経過後に照度値を取得する。照度センサ９０は、このタイミング信号ａ１の立ち上りに同期して、照度値を取得する。タイミング信号ａ１により出射された光は初め安定しないことがあるため、照度値の取得タイミングを遅延時間ＴＤにより遅らせている。また、検出部２７は、取得した照度値をＡＤ（アナログ−デジタル）変換したデジタル値として、内部のバッファ又は記憶部３２に記憶する。
【００６１】
図７では、検出部２７は、タイミングＴ１１から遅延時間ＴＤを経過したタイミングＴ１２において、光源装置６０内を導光されている赤色波長帯域光Ｌ１の照度値Ｖ１を照度センサ９０から取得する。そして、検出部２７は、取得した照度値Ｖ１を内部のバッファ等へ記憶する。
【００６２】
ステップＳ２０５で、検出部２７は、ステップＳ２０４で取得した照度値が複数あるときは照度値の大きさを比較し、大小関係を求める。また、検出部２７は、比較する照度値が無い場合は、ステップＳ２０５の処理を行わずにステップＳ２０６の処理に進む。
【００６３】
図７のタイミングＴ１２で照度値Ｖ１を取得した場合、検出部２７は、現在記憶されている照度値が他にないために、値を比較する処理を行わず、ステップＳ２０６に進む。
【００６４】
ステップＳ２０６で、検出部２７は、１つのフレーム中の全てのセグメント期間に出射された照度値を比較したか判定する。検出部２７は、全てのセグメント期間に出射された照度値の比較を終えていない場合（Ｓ２０６，Ｎ）、ステップＳ２０３の処理に戻り、全てのセグメント期間に出射された照度値の比較を終えた場合は（Ｓ２０６，Ｙ）、ステップＳ２０７の処理に進む。
【００６５】
図７のタイミングＴ１２の直後では、検出部２７は、取得した照度値が照度値Ｖ１のみであるため、ステップＳ２０３の処理に戻る。その後、検出部２７は、タイミングＴ１３で再度タイミング信号ａ１を受信して（Ｓ２０３，Ｙ）、タイミングＴ１４で緑色波長帯域光Ｌ２の照度値Ｖ２を取得する（Ｓ２０４）。検出部２７は、先に取得した赤色波長帯域光Ｌ１の照度値Ｖ１と、緑色波長帯域光Ｌ２の照度値Ｖ２とを比較して大小関係を求める（Ｓ２０５）。そして、検出部２７は、フレームＦ１内の全ての照度値の比較を終えていないため（Ｓ２０６，Ｎ）、ステップＳ２０３の処理に戻る。検出部２７は、タイミングＴ１５で再度タイミング信号ａ１を受信して（Ｓ２０３，Ｙ）、タイミングＴ１６で青色波長帯域光Ｌ３の照度値Ｖ３を取得する（Ｓ２０４）。これにより、検出部２７は、１つのフレームＦ１中の全ての照度値Ｖ１，Ｖ２，Ｖ３の比較をして大小関係を求めることができるため（Ｓ２０５、Ｓ２０６，Ｙ）、ステップＳ２０７の処理に進む。
【００６６】
ステップＳ２０７で、検出部２７は、ステップＳ２０６で比較した全ての照度値のうち、最も照度値が高い光を、光源装置６０の異常判定用の最大照度光として特定する。また、検出部２７は、その最大照度光を出射するセグメント期間をカウントするための取得用カウンタＮｃを設定する。
【００６７】
図７の例では、照度値Ｖ１，Ｖ２，Ｖ３は、緑色波長帯域光Ｌ２、青色波長帯域光Ｌ３、赤色波長帯域光Ｌ１の順に小さくなる。そのため、検出部２７は、緑色波長帯域光Ｌ２の光を、最大照度光として特定し、セグメント期間Ｐ１２がフレームＦ１内において２番目に位置するため、取得用カウンタＮｃを「２」に設定する。つまり、ここで設定される取得用カウンタＮｃの値「２」は、検出部２７がフレームＦ１内の最後のセグメント期間Ｐ１３に出射される光の照度値Ｖ３を取得したタイミングＴ１６の直後から、タイミング信号ａ１を２回受信すると、再度タイミングＴ２４で照度値Ｖ２の取得が可能であることを示している。
【００６８】
検出部２７は、ステップＳ２０７の処理の後、ステップＳ１０３の処理に進む。
【００６９】
図４に戻り、ステップＳ１０３で、検出部２７は、（ｉ）タイミング信号ａ１を受信するか、又は（ｉｉ）割り込みタイマーが満了するまで待機する。検出部２７は、タイミング信号ａ１を受信した場合は（Ｓ１０３，（ｉ））ステップＳ１０４の処理に進み、割り込みタイマーが満了した場合は（Ｓ１０３，（ｉｉ））ステップＳ１０５の処理に進む。また、検出部２７は、タイミング信号ａ１の受信及び割り込みタイマーの満了が無い場合は、待機する。
【００７０】
図７では、検出部２７は、タイミングＴ２１でタイミング信号ａ１を受信すると（Ｓ１０３，（ｉ））ステップＳ１０４の処理に進む。
【００７１】
ステップＳ１０４のタイミング割り込み処理は、次のように行われる。まず、図６のステップＳ３０１で、検出部２７は、現在の取得用カウンタＮｃから「１」を減ずる処理を行う。
【００７２】
ステップＳ３０２で、検出部２７は、取得用カウンタＮｃが「０」であるか判定する。検出部２７は、取得用カウンタＮｃが「０」である場合は（Ｓ３０２，Ｙ）ステップＳ３０３の処理へ進み、取得用カウンタＮｃが「０」でない場合は（Ｓ３０２，Ｎ）図６の処理を終了する。
【００７３】
ステップＳ３０３で、検出部２７は、取得用カウンタＮｃを、ステップＳ１０１で設定したセグメント数Ｎｓの値に設定する。
【００７４】
ステップＳ３０４で、検出部２７は、割り込みタイマーを設定する。割り込みタイマーの時間は、タイミング信号ａ１を受信してから照度センサ９０が照度値を取得するまでの遅延時間ＴＤであり、予め記憶部３２に記憶させることができる。割り込みタイマーの設定がされると、図２等には図示しない計時部によりその遅延時間のカウントが開始される。なお、本実施形態では、ステップＳ３０４で設定される遅延時間ＴＤと、ステップＳ２０４の照度値を取得する為の遅延時間ＴＤは同じである。
【００７５】
図７の例では、タイミングＴ２１の直後におけるステップＳ３０１で、検出部２７は、ステップＳ２０７で設定した現在の取得用カウンタＮｃについて「２」から「１」を減ずる処理を行う。そして、検出部２７は、ステップＳ３０２で現在の取得用カウンタＮｃが「１」であり、「０」でないことから（Ｓ３０２，Ｎ）図６の処理を終了する。図６の処理を終えると、検出部２７は、図４のステップＳ１０６の処理に進む。
【００７６】
ステップＳ１０６で、検出部２７は、ステップＳ１０５で取得された最大照度光の照度値が異常か否か判定する。検出部２７は、取得された最大照度光の照度値が予め定められた閾値Ｖｒｅｆ以上である場合に光源装置６０が正常と判定して（Ｓ１０６，正常）ステップＳ１０３の処理に戻る。検出部２７は、取得された最大照度光の照度値が閾値Ｖｒｅｆ未満の場合に光源装置６０が異常状態であると判定して（Ｓ１０６，異常）ステップＳ１０７の処理に進む。なお、検出部２７は、判定用に取得された最大照度光が取得されていない場合も光源装置６０が正常と判定することができる（Ｓ１０６，正常）。
【００７７】
図７の例においてタイミングＴ２１でタイミング信号ａ１を受信した直後では、検出部２７は、最大照度光である緑色波長帯域光Ｌ２の照度値Ｖ２を取得していないため、ステップＳ１０６の判定処理では正常と判定される。その後、検出部２７は、タイミングＴ２３でタイミング信号ａ１を受信すると（Ｓ１０３，（ｉ））、現在の取得用カウンタＮｃ「１」から「１」を減じて「０」にする（Ｓ３０１）。検出部２７は、取得用カウンタＮｃが「０」であるため（Ｓ３０２，Ｙ）、取得用カウンタＮｃをセグメント数Ｎｓである「３」に設定する（Ｓ３０３）。その後、検出部２７は、割り込みタイマーとして遅延時間ＴＤを設定し（Ｓ３０４）、図４のステップＳ１０６の処理に進む。
【００７８】
検出部２７は、ここでも最大照度光である緑色波長帯域光Ｌ２の照度値Ｖ２を取得していないため、ステップＳ１０６の判定処理では正常と判定される（ステップＳ１０６，正常）。その後、検出部２７は、タイミングＴ２４で、割り込みタイマーである遅延時間ＴＤが経過するため（Ｓ１０３，（ｉｉ））、現在出射されている最大照度光である緑色波長帯域光Ｌ２の照度値Ｖ２を取得する（Ｓ１０５）。
【００７９】
ステップＳ１０６で、検出部２７は、取得された最大照度光である緑色波長帯域光Ｌ２の照度値Ｖ２が閾値Ｖｒｅｆ以上であるため、光源装置６０が正常と判定する（Ｓ１０６，正常）。よって、検出部２７は、ステップＳ１０３の処理に戻り、以降、タイミング信号ａ１又は割り込みタイマーの満了を契機にステップＳ１０３〜Ｓ１０６の処理が繰り返される。
【００８０】
ステップＳ１０７で、検出部２７は、図２に示した制御部３８に対し、光源装置６０が異常状態であることを示す光源異常判定指示を送信する。その後、制御部３８は、光源制御部４１により光源装置６０の動作を停止させる。ステップＳ１０７では、制御部３８及び光源制御部４１は光源停止手段として機能する。
【００８１】
以上、本実施形態では、蛍光体ホイール１０１が一周する期間である１フレーム中に、３回のタイミング信号割込処理と１回のタイマー割込処理が発生するように割り込み処理を少なくすることができるため、制御部３８や検出部２７等の処理負荷を軽減させることができる。
【００８２】
（実施形態２）
次に、実施形態２について説明する。図８は、実施形態２の検出部２７が行う異常判定のメインフローを示す図である。図９は、実施形態２の投影装置１０におけるトリガー信号であるインデックス信号ａ２と照度センサ９０の出力のタイムチャートを示す図である。
【００８３】
本実施形態では、検出部２７は、制御部３８から送信されるタイミング信号ａ１の代わりに、図３の蛍光ホイール装置１００に設けたインデックスマーク（不図示）を検出し、インデックスマークの検出によりセンサから入力されるインデックス信号ａ２の受信タイミングから予め定められた遅延時間ＴＤ経過後に、最大照度光の照度値の検出を行う。本実施形態のインデックスマークは、モータ１１０と接続される蛍光体ホイール１０１の回転軸の側面に形成されて光を吸収する黒色の吸収体である。光吸収体は、塗料の塗布等により形成することができる。検出部２７は、そのインデックスマークを図示しない反射型の光センサにより、蛍光体ホイール１０１が一周する毎に検出する。よって、蛍光体ホイール１０１の回転速度と、フレームの周期はインデックス信号ａ２と同期している。
【００８４】
図８のステップＳ４０１で、検出部２７は、記憶部３２に予め記憶されたタイマー値情報として遅延時間ＴＤを制御部３８を介して取得する。遅延時間ＴＤは、後のステップＳ４０２で検出部２７が照度値の検出を行う際のタイミングを定めるために用いられる。
【００８５】
ステップＳ４０２で、検出部２７は、（ｉ）インデックス信号ａ２を受信したか、又は（ｉｉ）割り込みタイマーが満了したかを判定する。検出部２７は、光センサによりインデックス信号ａ２を受信した場合（Ｓ４０２，（ｉ））、ステップＳ４０３の処理に進み、割り込みタイマーが満了した場合（Ｓ４０２，（ｉｉ））、ステップＳ４０４の処理に進む。
【００８６】
ステップＳ４０３で、検出部２７は、ステップＳ４０１において取得した遅延時間ＴＤを割り込みタイマーとして設定する。
【００８７】
一方、ステップＳ４０４で、検出部２７は、インデックス信号ａ２の受信タイミングから遅延時間ＴＤ経過後に照度センサ９０から最大照度光の照度値を取得する。取得された照度値は検出部２７の内部のバッファ等へ記憶される。
【００８８】
ステップＳ４０５で、検出部２７は、取得した最大照度光の照度値が異常状態であるか判定する。異常状態であるか否かの判定は、実施形態１と同様に行うことができる。すなわち、検出部２７は、ステップＳ４０４で取得した照度値が閾値Ｖｒｅｆ以上である場合に光源装置６０が正常と判定し、照度値が閾値Ｖｒｅｆ未満である場合に光源装置６０が異常状態であると判定する。検出部２７は、照度値が正常であると判定した場合は、ステップＳ４０２の処理に戻り、照度値が異常状態であると判定した場合はステップＳ４０６の処理に進む。なお、ステップＳ４０５で異常判定する照度値を取得していない場合は、検出部２７は、正常と判定して（Ｓ４０５，正常）ステップＳ４０２の処理に戻る。
【００８９】
図９の例では、検出部２７は、まずタイミングＴ１１においてインデックス信号ａ２を受信するため（Ｓ４０２，（ｉ））、遅延時間ＴＤを割り込みタイマーとして設定する（Ｓ４０３）。検出部２７は、この時点では異常判定するための照度値を取得していないため、光源装置６０が正常と判定して（Ｓ４０５，正常）ステップＳ４０２の処理に戻る。
【００９０】
その後、検出部２７は、割り込みタイマーがカウントされて満了すると（Ｓ４０２，（ｉｉ））、インデックス信号ａ２を受信してから遅延時間ＴＤ経過した時点であるタイミングＴ１３に、照度センサ９０から照度値を取得する。本実施形態では、フレームＦ１のセグメント期間Ｐ１２で最大照度光である緑色波長帯域光Ｌ２の照度値Ｖ２を取得する。
【００９１】
検出部２７は、図９に示すように取得した照度値Ｖ２が閾値Ｖｒｅｆ以上であるため光源装置６０が正常と判定し（Ｓ４０５，正常）、ステップＳ４０２〜Ｓ４０５の処理を繰り返す。
【００９２】
ステップＳ４０６で、検出部２７は、ステップＳ１０７と同様、制御部３８対し光源装置６０が異常状態であることを示す異常判定結果を送信し、制御部３８が光源制御部４１により光源装置６０の動作を停止させる。ステップＳ４０６では、制御部３８及び光源制御部４１は光源停止手段として機能する。
【００９３】
以上、本実施形態では、ホイールが一周するフレーム毎に、割り込み処理をインデックス信号ａ２による割り込み処理と、タイマー割り込み処理とをそれぞれ１回の合計２回に低減させることができる。また、フレーム中に分割されるセグメント数Ｎｓが増加しても、割り込み処理の回数が増加しないため検出部２７等の処理負荷に影響を与えないという利点がある。例えば、フレーム中に４つのセグメントを設けた場合、タイミング信号ａ１を受信する度に照度値を取得すると合計８回の割り込み処理が発生するのに対し、本実施形態の異常判定方法では、３つのセグメントであってもインデックス信号ａ２により４つのセグメントであっても合計２回の割り込み処理に低減することができる。
【００９４】
なお、インデックスマークは、蛍光ホイール装置１００に設けられた切欠や貫通孔としてもよい。この場合、光センサとして反射型光センサや透過型光センサを用いることができる。
【００９５】
また、照度センサ９０は、光源装置６０において、赤色波長帯域光が受光されない位置に配置してもよい。
【００９６】
以上、説明した光源装置６０は、フレーム内で時分割されたセグメント期間に光を出射する光源部と、フレームと同期したトリガー信号の受信のタイミングから、最も照度値が高いセグメント期間となる所定の遅延時間ＴＤ経過後に、そのフレーム内に光源部より出射される最大照度光の照度値を取得する照度値取得手段と、この照度値取得手段により取得された照度値が所定の閾値Ｖｒｅｆ未満である場合に光源部が異常状態であると検出する検出手段とを備える。そのため、一つのフレーム中で比較的少ない回数の割り込み処理により、低い負荷で光源の異常状態を検出する異常検出装置、投影装置１０、異常検出方法及びプログラムを提供することができる。
【００９７】
また、トリガー信号がフレーム内で複数回送信されるタイミング信号ａ１であり、照度値取得手段が、最も照度値が高い光を出射するセグメント期間に切り換えるタイミング信号ａ１の受信のタイミングから、遅延時間ＴＤ経過後にその照度値を取得する異常検出装置は、専用のトリガー信号を別途送信せずに、セグメントの切り換えと同期させて照度値を取得することができる
【００９８】
また、照度値取得手段が、予め、フレーム内におけるセグメント期間に出射された全ての光の照度値を取得して比較し、最も照度値が高い光を出射させるためのトリガー信号を特定する取得用カウンタＮｃを取得する異常検出装置は、異常判定を行うための照度値の取得のタイミングを自動で取得することができる。
【００９９】
また、照度値取得手段が、フレーム中にトリガー信号を受信する毎に取得用カウンタＮｃをカウントし、取得用カウンタＮｃの値が満了すると最も照度値が高い光が出射されるセグメント期間であると判定して、照度値を取得する異常検出装置は、照度値を取得するセグメント期間を自動で判定することができる。
【０１００】
また、光源部がフレームの周期と同期して回転駆動する蛍光体ホイール１０１を含み、トリガー信号が蛍光体ホイール１０１又は蛍光体ホイール１０１の回転軸に形成されたインデックスマークをセンサが検出して出力するインデックス信号ａ２である異常検出装置は、フレーム中の割り込み処理をインデックス信号ａ２の受信と、割り込みタイマーの満了の少ない回数に低減することができる。
【０１０１】
また、インデックスマークが回転軸の側面に形成された光吸収体であり、検出手段が光吸収体を光センサにより検出する光源装置６０は、簡易な方法によりセグメントの切り換えと同期させて照度値を取得することができる。
【０１０２】
また、検出手段が光源部を異常と判定した場合、光源部の駆動を停止させる光源停止手段を更に備える異常検出装置は、光源装置６０が意図しない方法で利用されることを防止して、安全性を向上させることができる。
【０１０３】
なお、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１０４】
以下に、本願出願の最初の特許請求の範囲に記載された発明を付記する。
［１］  フレーム内で時分割されたセグメント期間毎に光を出射する光源部と、
前記フレームと同期したトリガー信号の受信のタイミングから、最も照度値が高いセグメント期間となる所定の遅延時間経過後に、前記フレーム内に前記光源部より出射される光の照度値を取得する照度値取得手段と、
前記照度値取得手段により取得された前記照度値が所定の閾値未満である場合に前記光源部が異常状態であると検出する検出手段と、
を備えることを特徴とする異常検出装置。
［２］  前記トリガー信号は、前記フレーム内で複数回送信されるタイミング信号であり、
前記照度値取得手段は、最も照度値が高い光を出射する前記セグメント期間に切り換える前記タイミング信号の受信のタイミングから、前記遅延時間経過後に前記照度値を取得する、
ことを特徴とする上記［１］に記載の異常検出装置。
［３］  前記照度値取得手段は、予め、前記フレーム内における前記セグメント期間に出射された全ての光の前記照度値を取得して比較し、最も照度値が高い光を出射させるための前記トリガー信号を特定する取得用カウンタを取得することを特徴とする上記［１］又は上記［２］に記載の異常検出装置。
［４］  前記照度値取得手段は、前記フレーム中に前記トリガー信号を受信する毎に前記取得用カウンタをカウントし、前記取得用カウンタの値が満了すると最も照度値が高い光が出射される前記セグメント期間であると判定して、前記照度値を取得することを特徴とする上記［３］に記載の異常検出装置。
［５］  前記光源部は、前記フレームの周期と同期して回転駆動する蛍光体ホイールを含み、
前記トリガー信号は、前記蛍光体ホイール又は前記蛍光体ホイールの回転軸に形成されたインデックスマークをセンサが検出して出力するインデックス信号である、
ことを特徴とする上記［１］に記載の異常検出装置。
［６］  前記インデックスマークは、前記回転軸の側面に形成された光吸収体であり、
前記検出手段は、前記光吸収体を光センサにより検出する、
ことを特徴とする上記［５］に記載の異常検出装置。
［７］  前記検出手段により、前記光源部が異常状態であると判定された場合、前記光源部の駆動を停止させる光源停止手段を更に備えることを特徴とする上記［１］乃至上記［６］の何れかに記載の異常検出装置。
［８］  上記［１］乃至上記［７］の何れか記載の異常検出装置と、
前記光源部からの光源光が照射され、画像光を形成する表示素子と、
前記表示素子から出射された前記画像光をスクリーンに投影する投影側光学系と、
前記表示素子と前記異常検出装置を制御する制御部と、
を有することを特徴とする投影装置。
［９］  異常検出装置の異常検出方法であって、
フレーム内で時分割されたセグメント期間毎に光を出射する発光手段と、
前記フレームと同期したトリガー信号の受信のタイミングから、最も照度値が高いセグメント期間となる所定の遅延時間経過後に、前記フレーム内に前記発光手段より出射される光の照度値を取得する照度値取得手段と、
前記照度値取得手段により取得された前記照度値が所定の閾値未満である場合に前記発光手段が異常状態であると検出する検出手段と、
を備えることを特徴とする異常検出方法。
［１０］  異常検出装置が実行するプログラムであって、
フレーム内で時分割されたセグメント期間毎に光を出射する発光手段、
前記フレームと同期したトリガー信号の受信のタイミングから、最も照度値が高いセグメント期間となる所定の遅延時間経過後に、前記フレーム内に前記発光手段より出射される光の照度値を取得する照度値取得手段、及び、
前記照度値取得手段により取得された前記照度値が所定の閾値未満である場合に前記発光手段が異常状態であると検出する検出手段、
としての機能を実行することを特徴とするプログラム。
【符号の説明】
【０１０５】
１０      投影装置
１１      上面パネル                        １２      正面パネル
１３      背面パネル                        １４      右側パネル
１５      左側パネル                        １７      排気孔
１８      吸気孔                            １９      レンズカバー
２０      端子                              ２１      入出力コネクタ部
２２      入出力インターフェース            ２３      画像変換部
２４      表示エンコーダ                    ２５      ビデオＲＡＭ
２６      表示駆動部                        ２７      検出部
３１      画像圧縮／伸長部                  ３２      記憶部
３５      Ｉｒ受信部                        ３６      Ｉｒ処理部
３７      キー／インジケータ部              ３８      制御部
４１      光源制御部                        ４３      冷却ファン駆動制御回路
４５      レンズモータ                      ４７      音声処理部
４８      スピーカ                          ５１      表示素子
６０      光源装置                          ７０      励起光照射装置
７１      青色レーザダイオード              ７３      コリメータレンズ
７５      反射ミラー群                      ８０      緑色光源装置
８１      ヒートシンク                      ９０      照度センサ
１００    蛍光ホイール装置                  １０１    蛍光体ホイール
１１０    モータ                            １１１    集光レンズ群
１１５    集光レンズ                        １２０    赤色光源装置
１２１    赤色光源                          １２５    集光レンズ群
１３０    ヒートシンク                      １４０    導光光学系
１４１    第一ダイクロイックミラー          １４３    第一反射ミラー
１４５    第二反射ミラー                    １４６    集光レンズ
１４７    集光レンズ                        １４８    第二ダイクロイックミラー
１４９    集光レンズ                        １７０    光源側光学系
１７３    集光レンズ                        １７５    ライトトンネル
１７８    集光レンズ                        １８１    光軸変換ミラー
１８３    集光レンズ                        １８５    照射ミラー
１９０    ヒートシンク                      １９５    コンデンサレンズ
２２０    投影側光学系                      ２２５    固定レンズ群
２３５    可動レンズ群                      ２４１    制御回路基板
２６１    冷却ファン
Ｆ１〜Ｆ３  フレーム                        Ｌ１      赤色波長帯域光
Ｌ２      緑色波長帯域光                    Ｌ３      青色波長帯域光
Ｎｃ      取得用カウンタ                    Ｎｓ      セグメント数
Ｐ１１〜Ｔ１３  セグメント期間              Ｔ１１〜Ｔ１６  タイミング
Ｔ２１〜Ｔ２６  タイミング                  Ｔ３１  タイミング
ＴＤ      遅延時間                          Ｖ１〜Ｖ３  照度値
Ｖｒｅｆ  閾値
ａ１      タイミング信号                    ａ２      インデックス信号
【図１】
2019120812.tif 000003
【図２】
2019120812.tif 000004
【図３】
2019120812.tif 000005
【図４】
2019120812.tif 000006
【図５】
2019120812.tif 000007
【図６】
2019120812.tif 000008
【図７】
2019120812.tif 000009
【図８】
2019120812.tif 000010
【図９】
2019120812.tif 000011